(57)【要約】      （修正有） 【課題】適宜所望の大きさ、所望の平面形態に変化させて、さまざまな用途に使いわけし得、しかも拡縮操作がってが良く、且つ安全で使用便宜な納涼具を提供する。【解決手段】軟質合成樹脂製の薄いシートで形成した扁平な袋体１１と、この袋体１１に充填密封された保冷剤１２とからなる納涼具１において、上記袋体１１の周縁に一定幅の薄いシート状継ぎ合せ部２を連設すると共に、このシート状継ぎ合せ部２に留め手段３を配備して、隣り合う納涼具１ａの留め手段３ａに係脱させるように構成する。【選択図】図１
0003158950.tif 000002
【実用新案登録請求の範囲】
【請求項１】
軟質合成樹脂製の薄いシートで形成した扁平な袋体と、この袋体に充填密封された保冷剤とからなるものにおいて、
上記袋体の周縁に一定幅の薄いシート状継ぎ合せ部を連設すると共に、このシート状継ぎ合せ部に留め手段を配備して、隣り合う納涼具の留め手段に係脱させるようにしたことを特徴とする納涼具。
【請求項２】
前記袋体は、内部に分離区画壁を設けて複数の独立した区画室に保冷剤を分離収納したことを特徴とする請求項１記載の納涼具。
【請求項３】
前記シート状継ぎ合せ部は、袋体の連続する２辺に設けられ、留め手段はシート状継ぎ合せ部の面内に複数配備されたボタン式ホックであることを特徴とする請求項１記載の納涼具。
【考案の詳細な説明】
【技術分野】
【０００１】
この考案は、身体の各部に清涼感を味わうための用具、例えば、まくら、肩当て、敷きマット、クッションなどとして用いられる納涼具に関する。
【背景技術】
【０００２】
図５は、枕の上に載せ置いて就寝中、頭部に所謂ひんやり感を味わう場合、或いは氷嚢などとして使用される納涼具を示す一部を破断した斜視図である。
この納涼具は、軟質合成樹脂製の薄いシートで形成した扁平な袋体５１の中に、保冷剤（常温冷媒) ５２を充填密封したもので、使用に際し冷蔵庫や冷凍庫で冷却する必要のない点に特徴を有する。
【０００３】
この保冷剤５２は、所謂、潜熱蓄熱剤とも称される常温下で液化しやすい熱媒体、例えば硫酸ナトリウムやりん酸ナトリウムを主剤とする流動性の水和物が使用されている。この納涼具を身体の各部、例えば首筋に接面すると、保冷剤の結晶体が体熱を吸収するから使用者は心地よい冷感を満喫し得る。更に、体熱を吸収し溶解した結晶は自然放熱して再結晶化するため快冷感を長時間味わえる。
【特許文献１】実開平６−５２８１５号公報
【特許文献２】実開昭５８−１９６６６７号公報
【考案の開示】
【考案が解決しようとする課題】
【０００４】
上記納涼具では、使用に際し冷却することなく常温で手軽に使用でき、且つ心地よいヒンヤリ感を長時間味わうことが出来る許りでなく、水滴が出ないため衣服や寝具などを濡らさない長所を有する。
【０００５】
一方、この納涼具は熱伝導率を高くする必要上、柔らかい袋体を可能な限り薄肉状に設定してある。このため、誤って重いものを載せたり、先の尖ったもので突く、或いは意に反して強く踏むほか、高いところから落す等々に起因して破損し易い難点がある。
【０００６】
万一、袋体が僅かに破れた場合であっても、直ちに使用不能となるのは勿論、保冷剤が皮膚、衣服や寝具に付着、或いは目に入ったり、子供が口に入れたりすると極めて危険な虞れがある等々の理由によって、現在、要望があるにも関わらず面積の大型な納涼具は全く存在していない。
【０００７】
この考案は、以上のような課題を解消させ、適宜所望の大きさ、所望の形態に変化させて使いわけし得、しかも拡縮操作がってが良く、且つ安全で使用便宜な納涼具を提供することを目的とする。
【課題を解決するための手段】
【０００８】
この目的を達成させるために、この考案の納涼具では次のような構成としている。
納涼具は、軟質合成樹脂製の薄いシートで形成した扁平な袋体と、この袋体に充填密封された保冷剤とから成る納涼具において、
上記袋体の周縁に一定幅の薄いシート状継ぎ合せ部を連設すると共に、このシート状継ぎ合せ部に留め手段を配備して、隣り合う納涼具の留め手段に係脱させるようにしたことを特徴としている。
【考案の効果】
【０００９】
この考案では以上のように、袋体の周縁に延長して設けた一定幅の薄いシート状継ぎ合せ部に留め手段を配備して、隣り合う納涼具の留め手段に脱着させ得ることとしたから、従来通りの小型の納涼具を所望数継ぎ合せることで、適宜大きさ、適宜形状の納涼具を得ることが出来る。
【００１０】
従って、例えばボタン式ホックなどの留め手段を係脱させるだけの簡易な操作で、所望の大きさ、所望の平面形態の納涼具が得られる許かりでなく、継ぎ合せた大型納涼具を構成する一部の納涼具が万一、破損した場合であっても、破れた納涼具のみを取り替えるだけで使用し得、無駄がなく合理的である。
【００１１】
更に、袋体の内部に分離区画壁を設けて複数の区画室に保冷剤を分離収納したから、単一の納涼具であって一方の区画室側が破損した場合であっても使用可能である等、使用不能率の一層の減少を実現し得た。
【００１２】
また、上記袋体の分離区画壁は、保冷剤を分離収納する許かりでなく、この区画壁を中心（定点）として二つ折りし得、厚みの大きい安定した形態の納涼具、例えば快冷枕として使用し得る等、考案目的を達成した優れた効果を有する。
【考案を実施するための最良の形態】
【００１３】
以下、図面に基づき本考案に係る納涼具の具体的な実施の形態を説明する。
図１は、４枚の納涼具１、１ａ、１ａ、１ａを継ぎ合せ且つ納涼具の一隅部を切り欠いた状態を示す斜視図である。
納涼具１、１ａは、柔軟で薄肉状の扁平な袋体１１と、この袋体１１に充填密封された保冷剤１２とから構成される。
【００１４】
袋体１１は、柔軟性、接着性、熱伝導性が良く、且つ強靭で耐薬品性に優れた合成樹脂材、例えばアクリル樹脂（エチレン−アクリル酸エステル系樹脂）の成型品である。この袋体１１は、縦長矩形状の２枚の薄いシートを重合した状態で、周縁を接着して扁平な袋形状としている。
【００１５】
この袋体１１の内部には、幅中央であって長手方向へ設けた幅狭（所定幅）の区画壁（上・下シートを接着した線）１３を設け、この区画壁１３によって左右に分離区画された２つの区画室にそれぞれ保冷剤１２が密封収納されている。
【００１６】
前記保冷剤１２は、常温で結晶化し人体温で溶解する潜熱蓄熱剤、すなわち常温下で液化しやすい熱媒体、例えば硫酸ナトリウムを主剤とする流動性の水和物が使用されている。
【００１７】
この納涼具１（１ａ）の主たる特徴は、上記袋体１１の周縁に一定幅の薄いシート状継ぎ合せ部２を連設すると共に、このシート状継ぎ合せ部２に留め手段３を配備して、隣り合う納涼具１ａの留め手段３ａに係脱させるようにした点にある。
【００１８】
袋体１１の周縁部、つまり矩形状袋体１１の連続する２辺（一側辺と一端辺）にシート状継ぎ合せ部２を配備している。実施の形態では、継ぎ合せ部２は袋体１１の周縁部を構成する上・下シートの重合縁部に連続して外方向へ所定幅を突出状に延長させ、その延長重合部を接着して構成している。
【００１９】
上記留め手段３は、実施の形態ではボタン式ホックである。図１で示すように、納涼具１の継ぎ合せ部２には一端辺に２個、一側辺に２個のボタン式ホック３１が設けてある。
【００２０】
ボタン式ホック３１は、円板状裏板部３１ａと裏板部３１ａに、継ぎ合せ部２を貫通する軸部（図示せず）を介して割り溝付き筒状係合部３１ｂを一体に突設したものである。一方、隣り合う納涼具１ａのボタン式ホック３２は、円板状裏板部３２ａと裏板部３２ａに、継ぎ合せ部２を貫通する軸部（図示せず）を介して上開口有底の筒状係合受け部３２ｂを一体に突設してなる。
【００２１】
図２は、留め手段３の他の実施の形態を示す斜視図である。
この実施の形態の留め手段３は、面ファスナーである例を示している。納涼具１のループ状繊維群３３は、シート状基布３３ａ上にループ状起毛部３３ｂを設けて構成したもので、継ぎ合せ部２の面内に貼着してある。
【００２２】
一方、隣り合う納涼具１ａの鈎状繊維群３４は、シート状基布３４ａ上に鈎状起毛部３４ｂを設けて構成し、継ぎ合せ部２に貼着している。鈎状起毛部３４ｂとループ状起毛部３３ｂが係脱することで、継ぎ合せが留められる。
【００２３】
図３は、留め手段３の更に他の実施の形態を示す斜視図である。
この実施の形態の留め手段３は、軟質合成樹脂製係合部材である例を示している。納涼具１の係合部３５は、シート状基板３５ａ上に係合丸棒軸３５ｂを立設して構成すると共に、隣り合う納涼具１ａの係合受け部３６はシート状基板３６ａ上に、係合丸棒軸３５ａと係脱する二つ割れ筒状係合受け部３６ｂを設けて構成している。
【００２４】
上記図２及び図３の実施の形態のものでは、継ぎ合せ部２に対し留め手段３を一体に成形しても良いし、或いは納涼具１、１ａの継ぎ留め使用時に、継ぎ合せ部２に対し別体として接着しても良い。この場合、必要に応じて取り付けでき無駄がない許かりでなく納涼具として外観形態もスマートとなる。
【００２５】
このような構成を有する納涼具では、図１で示すように、留め手段３（３ａ）によって複数枚の納涼具１、１ａ、１ａ、１ａを適宜組み合わせて継ぐことにより所望の大きさ、所望の平面形態に設定できる。
【００２６】
使用の必要条件に応じて、つまり、頭部のみ或いは肩のみの快冷を望む場合は、図４で示すように単一の小型納涼具１をそのまま用いる。また、足やふくらはぎに快冷を望む場合は、二つの納涼具１、１ａを縦列状、或いは横列状として使用する。
【００２７】
更に、寝転び状の半身の快冷を望む場合は、図１のように複数枚を継ぎ合せて、大型のマット状とすることができる。また逆に、面積の狭い首筋の快冷を望む場合は、区画壁３１を中心として折り重ね、安定した折り曲げ状態で厚みの大きい状態に設定して使用することができる。
【００２８】
図４は、この納涼具として特に効果の高い使用態様を示している。近年、屋外や車内や機内でラップトップ型小型電子機器（パソコンやＡＶ機器）が使用されている。電子機器は高温になるため、載置く膝、腿が熱くなる。腿上に納涼具１（１ａ）を使用、例えば重合使用、或いは並列使用することで、膝、腿の熱さを解消する許りでなく、電子機器にとって好ましくない発熱をも吸収し得、一挙両得となる。
【図面の簡単な説明】
【００２９】
【図１】実施の形態の納涼具を示す斜視図である。
【図２】納涼具の留め手段の他の実施の形態を示す斜視図である。
【図３】納涼具の留め手段の更に他の実施の形態を示す斜視図である。
【図４】納涼具の使用態様を示す斜視図である。
【図５】従来の納涼具を示す一部を破断した斜視図である。
【符号の説明】
【００３０】
１      納涼具
２      シート状継ぎ合せ部
３      留め手段
１ａ    隣り合う納涼具
１１    袋体
１２    保冷剤
１３    区画壁
３ａ    留め手段
３１    ボタン式ホック
３２    ボタン式ホック
３３    ループ状繊維群
３４    鈎状繊維群
３５    係合部
３６    係合受け部
【図１】
0003158950.tif 000003
【図２】
0003158950.tif 000004
【図３】
0003158950.tif 000005
【図４】
0003158950.tif 000006
【図５】
0003158950.tif 000007